(57)【要約】【課題】構造が簡単で、ロック部材１の取付け位置が自由に選択できる上、施開錠の操作が容易にでき、しかも扉の意匠性を優れたものとすることができる扉錠装置を提供する。【解決手段】施錠位置と開錠位置に移動可能なロック部材１４を有する施錠ケース１０と、扉の表面に対して出入可能な操作部２１を有する操作ケース２０と、前記ロック部材１４と前記操作部２１とを連結し、前記操作部２１の可動に連動して前記ロック部材１４を可動させるワイヤ３０とを備える扉錠装置。【選択図】図３
2018048496.tif 000002
【特許請求の範囲】
【請求項１】
施錠位置と開錠位置に移動可能なロック部材（１４）を有する施錠ケース（１０）と、
扉の表面に対して出入可能な操作部（２１）を有する操作ケース（２０）と、
前記ロック部材（１４）と前記操作部（２１）とを連結し、前記操作部（２１）の可動に連動して前記ロック部材（１４）を可動させるワイヤ（３０）とを備えることを特徴とする扉錠装置。
【請求項２】
前記操作ケース（２０）は、連結片（２２）を介してワイヤ（３０）に連結される操作部（２１）と、
前記操作部（２１）を出入可能に収容するガイド部（２３）と、
前記ガイド部（２３）内に設けられ、前記操作部（２１）を開錠位置に付勢する操作部用付勢バネ（２４）と、
前記操作部用付勢バネ（２４）に抗して前記操作部（２１）を係止可能な係止機構（Ｍ）とからなることを特徴とする請求項１に記載の扉錠装置。
【請求項３】
前記係止機構（Ｍ）は、前記操作部（２１）上に設けられた回動溝（４０）と、
前記回動溝（４０）に回動自在に枢支される摺動コマ（４１）と、
前記ガイド部（２３）内で前記摺動コマ（４１）を摺動自在に支持する長溝（４２）と、
前記長溝（４２）の後方から前方へ向けて突出し、前記摺動コマ（４１）と当接して回動させる突片（４３）と、
前記長溝（４２）から幅方向の内側に突出し、前記摺動コマ（４１）を係止可能な係止片（４４）とからなることを特徴とする請求項２に記載の扉錠装置。
【発明の詳細な説明】
【技術分野】
【０００１】
本発明は、扉に設置されたロック部材が、固定枠体の受金部に出入することで施錠できる扉錠装置に関するものである。
【背景技術】
【０００２】
従来の扉錠装置としては、例えば、扉の端面に出入可能に取付けられ、固定枠体の受金部に出入可能なロック部材と、連結機構によってロック部材に連結され、回動操作することでロック部材を出入操作可能な操作部とからなり、連結機構は、それぞれの一端が操作部とロック部材とに連結されるリンクと、これらのリンクの他端が枢支され基端部が固定軸に枢支されるリンクとからなり、操作部の回動操作をロック部材の出入方向の動きに変換し伝えることができるものが公知である（特許文献１参照）。
【先行技術文献】
【特許文献】
【０００３】
【特許文献１】特許第３２６４２２９号公報
【発明の概要】
【発明が解決しようとする課題】
【０００４】
しかしながら、特許文献１の扉錠装置は、ロック部材を操作部で操作するため複数のリンクが用いられており構造が複雑になっている。また、操作部の回動操作をリンク機構を用いて十分に伝えることができる位置にロック部材を配置する必要があるため、ロック部材の配置場所が操作部の取付け位置によって制限されるという問題があった。また、操作部は、扉から常時突出しているため、見た目にも存在感を与え美感を損ねるという問題もあった。
【０００５】
本発明ではかかる従来の問題に鑑み、構造が簡単で、ロック部材の取付け位置が自由に選択でき、しかも、扉の意匠性を優れたものとすることができる扉錠装置を提供することを目的とする。
【課題を解決するための手段】
【０００６】
本発明の請求項１に記載の扉錠装置は、施錠位置と開錠位置に移動可能なロック部材を有する施錠ケースと、扉の表面に対して出入可能な操作部を有する操作ケースと、前記ロック部材と前記操作部とを連結し、前記操作部の可動に連動して前記ロック部材を可動させるワイヤとを備えることを特徴とするものである。
【０００７】
また、本発明の請求項２に記載の扉錠装置の操作ケースは、連結片を介してワイヤに連結される操作部と、前記操作部を出入可能に収容するガイド部と、前記ガイド部内に設けられ、前記操作部を開錠位置に付勢する操作部用付勢バネと、前記操作部用付勢バネに抗して前記操作部を係止可能な係止機構とからなることを特徴とするものである。
【０００８】
さらに、本発明の請求項３に記載の扉錠装置の係止機構は、前記操作部上に設けられた回動溝と、前記回動溝に回動自在に枢支される摺動コマと、前記ガイド部内で前記摺動コマを摺動自在に支持する長溝と、前記長溝の後方から前方へ向けて突出し、前記摺動コマと当接して回動させる突片と、前記長溝から幅方向の内側に突出し、前記摺動コマを係止可能な係止片とからなることを特徴とするものである。
【発明の効果】
【０００９】
本発明によれば、可撓性を有するワイヤが用いられるため、複雑なリンク機構を用いる必要がなく、構造が簡単で、ロック部材の取付け位置が自由に選択でき、しかも、施錠するときには操作部が扉内に収容されるため、扉の意匠性を優れたものとすることができる。
【図面の簡単な説明】
【００１０】
【図１】本発明の実施例における扉錠装置を取付けた扉の正面側斜視図である。
【図２】本発明の実施例における扉錠装置を取付けた扉の背面側斜視図である。
【図３】本発明の実施例における扉錠装置の（ａ）正面図、（ｂ）側面図である。
【図４】本発明の実施例における扉錠装置のＡ−Ａ線拡大断面図である。
【図５】本発明の実施例における扉錠装置のＢ−Ｂ線拡大断面図である。
【図６】本発明の実施例における扉錠装置のＣ−Ｃ線拡大断面図である。
【発明を実施するための形態】
【００１１】
以下、本発明の扉錠装置を実施するための形態について、図面に基づいて説明する。本発明に係る扉錠装置は、扉Ｄの内部に設けられ、図１および図２に示すように、ロック部材１４が固定枠体に設けられた受金部１７に出入することで施錠または開錠を行う扉錠装置であり、ワイヤ３０を介してロック部材１４に連結された操作部２１を操作することで、扉Ｄの施錠または開錠を行うものである。
【００１２】
当該扉錠装置において、床面Ｇ側を当該装置の下方とし、反対側を上方とする。また、扉Ｄの幅方向を左右方向とし、扉Ｄの厚み方向を前後方向とする。
【００１３】
本発明に係る扉錠装置は、図１および図２に示すように、扉Ｄ内に取付けられ、施錠位置と開錠位置に移動可能なロック部材１４を有する施錠ケース１０と、扉の表面に対して出入可能な操作部２１を有する操作ケース２０と、ロック部材１４と操作部２１とを連結し、操作部２１の可動に連動してロック部材１４を可動させるワイヤ３０とを備える。
【００１４】
本発明の実施形態における施錠ケース１０は、略箱状に形成され、扉の裏側に設けられている。また、施錠ケース１０は、図３（ａ）、（ｂ）および図４に示されるように、内側の内壁に設けられた内壁溝１１と、一端がワイヤ３０に連結され他端が内壁溝１１に沿って可動するよう回動自在に枢支されるテコ部材１２と、内壁溝１１に摺動自在に案内されるピン１３を介してテコ部材１２に連結されるロック部材１４と、ピン１３を介してロック部材１４を開錠位置に付勢するロック部材用付勢バネ１５とを備える。
【００１５】
内壁溝１１は、ロック部材１４が受金部１７に出入できるよう、受金部１７に出入りするロック部材１４と略平行に凹設されている。
【００１６】
テコ部材１２は、略直線状の金属製棒部材を中央部および両端部で屈曲して形成される。そして、一端はワイヤ３０の施錠側先端部１６に係止され、他端はロック部材１４に貫通して設けられたピン１３に係止される。テコ部材１２には、操作部２１による施開錠操作をロック部材１４に伝達できるものであれば樹脂製その他の部材を使用してもよい。
【００１７】
ロック部材１４は、図１に示すように、例えば円柱形状に形成される。また、ロック部材１４の上端部には、内壁溝１１によって両端部が摺動自在に支持されるピン１３が設けられており、ロック部材１４が施錠位置と開錠位置との間で移動できるようになっている。
【００１８】
操作ケース２０は、扉Ｄの裏側に設けられ、操作部２１が扉Ｄの前面から出入可能となるように取り付けられている。また、操作ケース２０は、図３（ｂ）および図５に示されるように、ワイヤ３０と略平行に配置され連結片２２を介して連結される操作部２１と、操作部２１を出入可能に収容するガイド部２３と、ガイド部２３内に設けられ、操作部２１を開錠位置に付勢する操作部用付勢バネ２４と、操作部用付勢バネ２４に抗してガイド部２３内の施錠位置に操作部２１を係止可能な係止機構Ｍとからなる。
【００１９】
操作部２１は、図５に示すように、略直方体状に後方に突出して延びる後方突部２５と、後述する回動溝４０とが含まれており、後方に設けられた凹部に嵌入される操作部用付勢バネ２４で開錠位置に付勢される。
【００２０】
連結片２２は、図２および図５に示すように、略板状に形成される。連結片２２には、後方突部２５が取付けられる挿通孔２７と、ワイヤ３０の操作側先端部２６を係止するスリット２８が設けられている。連結片２２は、スリット２８にワイヤ３０が係止された状態で、操作部２１の後方突部２５にネジ止めされる。
【００２１】
ガイド部２３は、図５および図６に示すように、略直方体状に形成されており、操作部２１を挿入しうるよう、前方が開口して形成され、後方には後方突部２５を挿通するための孔が設けられている。
【００２２】
ワイヤ３０は、可撓性の導芯および絶縁外皮層からなり、操作部２１を操作することで導芯が絶縁外皮層内を摺動できるようになっている。ワイヤ３０には、操作部２１の操作をロック部材１４に伝達できるものであれば可撓性を有しない材料を用いてもよい。
【００２３】
係止機構Ｍは、図５および図６に示すように、操作部２１上に設けられた回動溝４０と、回動溝４０に回動自在に枢支される摺動コマ４１と、ガイド部２３内で摺動コマ４１を摺動自在に支持する長溝４２と、長溝４２の後方から前方に向けて突出し、前記摺動コマ４１と当接して回動させる突片４３と、長溝４２から幅方向の内側に突出し、摺動コマ４１を係止可能な係止片４４とからなる。
【００２４】
摺動コマ４１は、図６に二点鎖線で示すように、長溝４２の長手方向に長く、幅方向に短い形状をしており、長手方向の両端に切欠き部４５を有している。
【００２５】
以下、この発明の扉錠装置の操作状態について説明する。
【００２６】
操作部２１が押圧されて摺動コマ４１がガイド部２３の後方に移動すると、摺動コマ４１の切欠き部４５が突片４３に当接するので、摺動コマ４１の向きが変わる。次に、押圧された操作部２１が操作部用付勢バネ２４によって引き戻されるが、向きを変えた摺動コマ４１が、その姿勢で操作部２１と共に前方に引き戻され、図６に実線で示すように、向きを変えたことで、摺動コマ４１が長溝４２の幅に収まらなくなり切欠き部４５が係止片４４に係止される。そうすると、操作部２１は、ガイド部２３に収容された状態に固定され、施錠ケース１０内のワイヤ３０が引上げられテコ部材１２が回動するとともにロック部材１４が施錠ケース１０から突出する。よって扉Ｄが施錠される。
【００２７】
次に、前述の状態の操作部２１をさらに押圧すると、摺動コマ４１は、再び突片４３に当接して向きを変える。そして、後方まで押圧された操作部２１は操作部用付勢バネ２４によってガイド部２３の前方に向かって引き戻されるが、向きを変えた摺動コマ４１は、係止片４４に当接しながらさらに回動して長溝４２内に収容される。そして、摺動コマ４１は長溝４２の前方まで戻されて、操作部２１がガイド部材２３から突出した状態に戻る。そうすると、施錠ケース１０内のワイヤ３０は引き下げられて、ロック部材用付勢バネ１５によってロック部材１４がテコ部材１２とともに元の位置に戻されるので扉Ｄが開錠される。つまり、本発明に係る扉錠装置は、操作部２１を押圧操作するだけで施錠および開錠が可能であり、従来の回動操作が必要な操作部２１とその操作方法が大きく異なる。
【００２８】
本発明に係る扉錠装置は、ワイヤ３０を操作部２１に略平行に配置し連結片２２を介してワイヤ３０に連結させており、従来のような操作部２１の回動操作をロック部材１４の出入方向の動きに変換して伝達するリンクを設ける必要がなく簡単な構造にすることができる。また、可撓性を有するワイヤ３０を用いることで、配置場所の制限もなくなる。
【００２９】
さらに、操作部２１は、開錠時に扉面から突出した状態となり開錠状態であることを視覚的に示す一方、施錠時においては、図１に示すように、操作部２１が操作ケース２０に収容され施錠状態であることを視覚的に示すと共に、扉面の意匠性を優れたものとすることができる。
【００３０】
以上、本発明の実施例について説明したが、この実施例に限定されるものではなく、その趣旨を逸脱しない範囲で種々の変更が可能である。例えば、扉錠装置は、ガイドレール等を介して左右に開閉する引戸に適用されたものであってもよい。また、実施例の係止機構Ｍでは摺動コマ４１をガイド部２３に設けた係止片４４に係止させることで操作部２１を施錠位置に係止させているが、他の係止機構を用いたものであってもよい。
【符号の説明】
【００３１】
１０  施錠ケース
１４  ロック部材
２０  操作ケース
２１  操作部
２２  連結片
２３  ガイド部
２４  操作部用付勢バネ
３０  ワイヤ
４０  回動溝
４１  摺動コマ
４２  長溝
４３  突片
４４  係止片
Ｍ  係止機構
【図１】
2018048496.tif 000003
【図２】
2018048496.tif 000004
【図３】
2018048496.tif 000005
【図４】
2018048496.tif 000006
【図５】
2018048496.tif 000007
【図６】
2018048496.tif 000008